(57)【要約】　　　（修正有）【課題】　好ましい弾性、緩衝効果を具え、且つ優れた柔軟性によって好ましい触感を提供できる連結型マットを提供する。【解決手段】　表層シート１０１と、ベース層１０２と、該表層シートとベース層との間に介在する柔軟層１０３とを具え、該表層シートとベース層の外周縁部の上下対応する位置には、外周縁部に沿って連続する凹凸であって、複数の連結型マットを連結するための複数の凹部、凸部とを形成を形成する。該柔軟層は、複数の貫通孔が分布するように形成する。【選択図】　図２
0003100067.tif 000002
【実用新案登録請求の範囲】
【請求項１】
多辺形を呈する連結型のマットであって、
表層シートと、ベース層とを具え、該表層シートとベース層の外周縁部の上下対応する位置に、外周縁部に沿って連続する凹凸であって、複数の連結型マットを連結するための複数の凹部と、凸部とを形成し、
該表層シートとベース層との間に、貫通孔が分布するように形成される柔軟層を介在させることを特徴とする連結型マット。
【請求項２】
前記表層シートがカーペットであることを特徴とする請求項１に記載の連結型マット。
【請求項３】
前記柔軟層がポリウレタン・フォームであることを特徴とする請求項１に記載の連結型マット。
【考案の詳細な説明】
【技術分野】
【０００１】
　この考案は、マットに関し、特に複数のマットを連結して床などに敷いて使用する連結型マットに関する。
【背景技術】
【０００２】
　従来の連結型マットを図６に開示する。図面によれば、現在、市場などで販売されている連結型マット（３０）は、弾性を具えたプラチック材質を油圧発泡して一体に成形してなり、緩衝効果を有する。よって、マットを連結して床に敷設した場合、子供や老人などが転倒したり、滑ったりして傷害を受けることを防ぐ効果を有する。
【０００３】
但し、従来の連結型マット（３０）は、上述のような効果を有するが、発泡材料により形成されているため、全体的な形態が固くなり、しかも所定の厚さしか具えていない。よって、全体的な弾性、緩衝効果はやはり好ましくなく、子供や老人が転倒した場合、十分な保護を与えることができず、事故になる場合がある。
【０００４】
また、従来の連結型マット（３０）は、長時間上方に重い物を置いた場合、厚みが失われて扁平状態となり、且つ回復することができなくなる。このため、本来の弾性や緩衝効果を失うのみならず、連結した後の全体的な美観が損なわれる。さらに、発泡材質の連結型マット（３０）は汚れやすく、汚れが落ちにくく、かつ清潔を保つことが難しいため、一定の期間使用した後、汚れて使用できなくなることから、使用者が廃棄する場合が多い。従って、使用上、不経済で実用的でない。
【０００５】
　上述の連結型マット（３０）の欠点を改善するため開発された連結型タイルを図７に開示する。図面によれば、連結型タイル（４０）は、弾性を具えるプラスチック製の基材（４１）上に木目、もしくは石の紋様などを摸倣した模様を有するプラスチック製の上層シート（４２）を貼着してなる。該基材（４１）と、上層シート（４２）の周囲には上下相対する位置に連続した凹凸をなす凹部（４０１）と、凸部（４０２）を一体に形成する。該凹部（４０１）と、凸部（４０２）とを設けることによって、複数の連結型タイル（４０）を連結して所定の坪数の床板にする。
【０００６】
但し、上述する従来の連結型タイル（４０）のプラスチック製の基材（４１）は、弾性、緩衝効果が前述の発泡材質による連結型マット（３０）と略同じであって、全体的な形態は、やはり固さが現れ、その柔軟度も劣る。このため、使用者がその上を踏んだ場合、もしくは横臥した場合、好ましい触感が得られない。よって、これら連結型マットに見られる欠点を改善することが望まれている。
【考案の開示】
【考案が解決しようとする課題】
【０００７】
　本考案が解決しようとする課題は、好ましい弾性、緩衝効果を具え、特に子供、老人が不注意で転倒しても傷害を与えることがなく、保護することができる安全な連結型マットを提供することにある。
【０００８】
また、本考案が解決しようとする他の課題は、表面を直接踏んだり、その上に横臥したりした場合、好ましい触感が得られる連結型マットを提供することにある。
【課題を解決するための手段】
【０００９】
　そこで本考案者は、従来の技術に見られる欠点に鑑み、鋭意研究を重ねた結果、表層シートと、ベース層と、及び該表層シートとベース層との間に介在する柔軟層とによってなる連結型マットの構造によって課題を解決できる点に着眼し、かかる知見に基づき本考案を完成させた。
【００１０】
以下この考案について具体的に説明する。
請求項１に記載する連結型マットは、多辺形を呈する連結型のマットであって、
表層シートと、ベース層とを具え、該表層シートとベース層の外周縁部の上下対応する位置に、外周縁部に沿って連続する凹凸であって、複数の連結型マットを連結するための複数の凹部と、凸部とを形成し、
該表層シートとベース層との間に、貫通孔が分布するように形成される柔軟層を介在させる。
【００１１】
　請求項２に記載する連結型マットは、表層シートがカーペットである。
【００１２】
請求項３に記載する連結型マットは、請求項１における柔軟層がポリウレタン・フォームである。
【考案の効果】
【００１３】
　本考案の連結型マットは、好ましい弾性、緩衝効果を具え、使用者が転倒した場合でも十分な保護を与える効果を具える。
【００１４】
また、本考案の連結型マットは、優れた柔軟性によって好ましい触感を提供できるという利点があるとともに、使用上において、室内装飾の環境に合わせて容易に組み立てることができ、実用的である。
【考案を実施するための最良の形態】
【００１５】
　この考案は、複数のマットを連結して床などに敷いて使用する連結型マットを提供するものであって、表層シートと、ベース層と、及び該表層シートとベース層との間に介在する柔軟層とによって構成する。
　かかる連結型マットの構造と特徴を詳述するために、具体的な実施例を挙げ、図示を参照にして以下に説明する。
【実施例】
【００１６】
　図１から３は、本考案装置の１実施例の図である。この考案の連結型マットは、多辺形の形態を呈する。図面によれば、連結型マット（１０）の上面には表層シート（１０１）を設ける。実施例における表層シート（１０１）は、プラスチック層か、もしくはカーペットである。該表層シート（１０１）の底面には、複数の貫通孔（１０４）が分布するように形成され、発泡材質によってなる柔軟層（１０３）を介して、ベース層（１０２）を設ける。実施例において柔軟層（１０３）は、低回復性を有するポリウレタン・フォーム（Polyurethane　Foam　以下ＰＵ材と称する）を材質とする。よって、該柔軟層（１０３）は、ベース層（１０２）に勝る弾性、緩衝効果を具え（図３参照）、連結型マット（１０）に、好ましい柔軟度を具えさせることができる。
【００１７】
　また、表層シート（１０１）と、柔軟層（１０３）と、ベース層（１０２）の外周縁部には、上下対応する位置に、外周縁部にそって連続した凹凸を構成する凹部（１１）と、凸部（１２）とを形成し、該凹部（１１）と、凸部（１２）とを連結することによって複数の連結型マット（１０）を連結し、所定の坪数に形成する。
【００１８】
　図１から４に開示する、この考案の連結型マット（１０）は、上述の通り、複数の連結型マット（１０）のそれぞれの凹部（１１）と、凸部（１２）とを互いに連結させることによって所定の坪数の床板などにすることができ、全体的な組み合わせが極めて容易で便利である。
【００１９】
　この考案の連結型マット（１０）は、表層シート（１０１）と、ベース層（１０２）との間に複数の貫通孔（１０４）が分布するように形成されたＰＵ材の柔軟層（１０３）を介在させる（図３参照）。柔軟層（１０３）は、ベース層（１０２）に比して更に弾性、緩衝効果を具える。よって、連結型マット（１０）は、好ましい柔軟度を具える。図４に開示するように、使用者が連結型マット（１０）を踏んで、押圧した場合、ＰＵ材質による柔軟層（１０３）は、粘着弾性（Viscoelastic）を具え、押圧を受けた部位が押圧する物体の形状に沿って変形し、圧力が消失した後、徐々に本来の状態を回復する。同時に柔軟層（１０３）には、複数の通過孔（１０４）が形成されているため、変形の効果を更に高めることができる。従って、この考案による連結型マット（１０）は、子供や老人が不注意で転倒した場合、好ましい安全性を有するのみならず、好ましい柔軟度を有するため、使用者がその上を踏んだり、横臥したりした場合、好ましい触感が得られる。
【００２０】
　表層シート（１０１）は、プラスチック材か、もしくはカーペットを選択することができ、室内装飾の環境と組み合わせる場合、便利で好ましい時間が得られる。よって、極めて実用的である。
【００２１】
　当然の事ながら、図５に開示するように、この考案の柔軟層（１０３）は、貫通孔（１０４）を形成しない形態であっても、上述の柔軟で、好ましい触感が得られる効果を達成することができる。また、この考案は、実施例のように連結型のマットの形態以外に、床板材の形態にしてもよく、この場合も同様に前述の目的と効果を達成することができる。すなわち、本考案は、極めて広い応用範囲を有する。
【００２２】
　以上はこの考案の好ましい実施例であって、この考案の実施の範囲を限定するものではない。よって、当業者のなし得る修正、もしくは変更であって、この発明の精神の下においてなされ、この考案に対して均等の効果を有するものは、いずれも本考案の実用新案登録請求の範囲に属するものとする。
【産業上の利用可能性】
【００２３】
　本考案は、床板材の用途にも適用できる。
【図面の簡単な説明】
【００２４】
【図１】この考案による連結型マットの外観を示した斜視図である。
【図２】図１に開示する連結型マットの分解図である。
【図３】図１に開示する連結型マットの一部断面図である。
【図４】図１に開示する連結型マットを踏んだ状態を表わす説明図である。
【図５】この考案による連結型マットの他の実施形態を表わす分解図である。
【図６】従来の連結型マットの外観を示した斜視図である。
【図７】従来の連結型タイルの分解図である。
【符号の説明】
【００２５】
　１０  連結型マット
１０１ 表層シート
１０２ ベース層
１０３ 柔軟層
１０４ 貫通孔
１１  凹部
　１２  凸部
　３０  連結型マット
　４０  連結型タイル
４０１ 凹部
４０２ 凸部
　４１  基材
　４２  上層シート
【図１】
0003100067.tif 000003
【図２】
0003100067.tif 000004
【図３】
0003100067.tif 000005
【図４】
0003100067.tif 000006
【図５】
0003100067.tif 000007
【図６】
0003100067.tif 000008
【図７】
0003100067.tif 000009